【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
複数枚を１セットとするシートを排出するジョブを実行するジョブ実行手段と、
前記ジョブ実行手段によって実行されるジョブが中断した場合に、当該ジョブで使用される前記複数枚を１セットとするシートのうち、少なくとも排出が完了していないシートを所定の排出部に排出するよう制御する制御手段と、
を有することを特徴とする印刷システム。
【請求項２】
前記複数枚を１セットとするシートのうち前記排出が完了していないシートを、前記ジョブを中断した状態で前記所定の排出部に排出することができるか否かを判定する判定手段をさらに備え、
前記制御手段は、前記判定手段によって前記複数枚を１セットとするシートのうち前記排出が完了していないシートを、前記ジョブを中断した状態で前記所定の排出部に排出することができると判定された場合に、前記ジョブを中断した状態で前記排出が完了していないシートを前記所定の排出部に排出し、
前記判定手段によって前記複数枚を１セットとするシートのうち前記排出が完了していないシートを、前記ジョブを中断した状態で前記所定の排出部に排出することができないと判定された場合に、前記ジョブの実行を再開した後に前記排出が完了していないシートを前記所定の排出部に排出することを特徴とする請求項１記載の印刷システム。
【請求項３】
前記複数枚を１セットとするシートのうち前記排出が完了していないシートを前記所定の排出部に排出するか否かを前記ジョブを実行する前に設定する設定手段をさらに有し、
前記制御手段は、前記設定手段によって前記複数枚を１セットとするシートのうち前記排出が完了していないシートを前記所定の排出部に排出するよう設定されている場合に、前記複数枚を１セットとするシートのうち前記排出が完了していないシートを前記所定の排出部に排出し、
前記設定手段によって前記複数枚を１セットとするシートのうち前記排出が完了していないシートを前記所定の排出部に排出しないよう設定されている場合に、前記複数枚を１セットとするシートのうち前記排出が完了していないシートを前記所定の排出部に排出しないよう制御することを特徴とする請求項１又は２記載の印刷システム。
【請求項４】
前記ジョブ実行手段は、前記排出が完了していないシートが前記所定の排出部に排出された後、ユーザの指示に従って前記中断されたジョブの実行を再開することを特徴とする請求項１乃至３の何れか１項に記載の印刷システム。
【請求項５】
前記ジョブ実行手段によって実行されるジョブが中断された場合に、シート保持部に保持された前記複数枚を１セットとするシートをユーザに確認させるためのメッセージを表示部に表示させる表示制御手段をさらに有することを特徴とする請求項１乃至４の何れか１項に記載の印刷システム。
【請求項６】
排出が完了したシートの情報を記憶する記憶手段と、
前記ジョブ実行手段は、前記記憶手段に記憶されたシートの情報に従って前記排出が完了していないシートを特定し、前記中断されたジョブの実行を、前記排出が完了していないシートから再開することを特徴とする請求項１乃至５の何れか１項に記載の印刷システム。
【請求項７】
前記ジョブ実行手段によって実行されるジョブは、複数枚を１セットとするシートと、当該複数枚を１セットとするシート以外のシートを使用するジョブであることを特徴とする請求項１乃至６の何れか１項に記載の印刷システム。
【請求項８】
前記複数枚を１セットとするシートは、タブ紙であることを特徴とする請求項１乃至７の何れか１項に記載の印刷システム。
【請求項９】
前記制御手段は、前記ジョブ実行手段によって実行されるジョブがシートのジャムによって中断した場合に、当該ジョブで使用される前記複数枚を１セットとするシートのうち、少なくとも排出が完了していないシートを所定の排出部に排出するよう制御することを特徴とする請求項１乃至８のいずれか１項に記載の印刷システム。
【請求項１０】
複数枚を１セットとするシートを排出するジョブを実行するジョブ実行工程と、
前記ジョブ実行工程で実行されるジョブが中断した場合に、当該ジョブで使用される前記複数枚を１セットとするシートのうち、少なくとも排出が完了していないシートを所定の排出部に排出するよう制御する制御工程と、
を有することを特徴とする印刷システムの制御方法。
【請求項１１】
請求項１０に記載された制御方法を、コンピュータに実行させるためのプログラム。
【請求項１２】
複数枚を１セットとするシートを排出するジョブを実行するジョブ実行手段と、
前記ジョブ実行手段によって実行されるジョブが中断した場合に、シート保持部に保持された前記複数枚を１セットとするシートをユーザに確認させるためのメッセージを表示部に表示させる表示制御手段とを有することを特徴とする印刷システム。
【請求項１３】
複数枚を１セットとするシートを排出するジョブを実行するジョブ実行手段と、
前記ジョブ実行手段によって実行されるジョブが中断した場合に、当該ジョブで使用される前記複数枚を１セットとするシートのうち、少なくとも排出が完了していないシートに対して、当該ジョブを再開した場合に排出処理を実行する実行手段とを有することを特徴とする印刷システム。
【手続補正２】
【補正対象書類名】明細書
【補正対象項目名】発明の名称
【補正方法】変更
【補正の内容】
【発明の名称】印刷システム及びその制御方法、並びにプログラム
【手続補正３】
【補正対象書類名】明細書
【補正対象項目名】０００１
【補正方法】変更
【補正の内容】
【０００１】
本発明は、印刷が中断した場合にシートの除去動作を実行できるように構成された印刷システム及びその制御方法、並びにプログラムに関するものである。
【手続補正４】
【補正対象書類名】明細書
【補正対象項目名】０００５
【補正方法】変更
【補正の内容】
【０００５】
このような状況に鑑み、本発明の目的は、印刷が中断したジョブが複数枚を１セットとするシートを利用するジョブであっても、その後、ユーザの意図しないシートがシート保持部から供給されないようにする仕組みを提供することである。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
上記目的を達成するため、本発明の印刷システムは、複数枚を１セットとするシートを排出するジョブを実行するジョブ実行手段と、前記ジョブ実行手段によって実行されるジョブが中断した場合に、当該ジョブで使用される前記複数枚を１セットとするシートのうち、少なくとも排出が完了していないシートを所定の排出部に排出するよう制御する制御手段と、を有することを特徴とする。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
本発明によれば、印刷が中断したジョブが複数枚を１セットとするシートを利用するジョブであっても、その後、ユーザの意図しないシートがシート保持部から供給されないようにする仕組みを提供することができる。
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００４５
【補正方法】変更
【補正の内容】
【００４５】
例えば、印刷システム１０００が図３に示すシステム構成である場合、ユーザから印刷
実行要求を受け付けた処理対象のジョブが、大容量スタッカ２００−３ａによる大量積載処理を行うように指示されたジョブであるとする。このジョブを「スタッカジョブ」と呼ぶ。このスタッカジョブを、図３の印刷システム１０００で処理する場合、制御部２０５は、印刷装置１００で印刷されたこのジョブのシートを、図３のＡ点を経由して大容量スタッカ２００−３ａの内部へ搬送させる。その後、制御部２０５は、このジョブの積載処理を大容量スタッカ２００−３ａで実行させる。そして制御部２０５は、大容量スタッカ２００−３ａで積載処理がなされたジョブの印刷物を、他の装置（例えば後段の装置）へ搬送せずに、大容量スタッカ２００−３ａ内部の排紙先Ｘに保持させる。
【手続補正２２】
【補正対象書類名】明細書
【補正対象項目名】００４７
【補正方法】変更
【補正の内容】
【００４７】
また図３において、ユーザから印刷実行要求を受け付けた処理対象のジョブが、糊付け製本機２００−３ｂによるシート処理（例えば、くるみ製本処理、或いは天糊製本処理の何れかの糊付け製本処理）を行うように指示されたジョブであるとする。このジョブを「糊付け製本ジョブ」と呼ぶ。この糊付け製本ジョブを、図３の印刷システム１０００で処理する場合、制御部２０５は、印刷装置１００で印刷されたシートを、図３のＡ点及びＢ点を経由して糊付け製本機２００−３ｂの内部へ搬送させる。その後、制御部２０５は、このジョブの糊付け製本処理を、糊付け製本機２００−３ｂで実行させる。そして制御部２０５は、糊付け製本機２００−３ｂで糊付け製本処理がなされた印刷物を、他の装置（例えば、後段の装置）へ搬送させずに、そのまま糊付け製本機２００−３ｂの内部の排紙先Ｙに保持させる。なお、くるみ製本処理を行うにあたり、予め印刷した表紙を利用することもできる。この場合、この表紙となるシートをトレイＹｏにセットする。
【手続補正２３】
【補正対象書類名】明細書
【補正対象項目名】００４８
【補正方法】変更
【補正の内容】
【００４８】
また、図３のシステム構成で、ユーザから印刷実行要求を受け付けた処理対象のジョブが、中綴じ製本機２００−３ｃによるシート処理を行うように指示されたジョブであるとする。この中綴じ製本機２００−３ｃによるシート処理には、例えば、中綴じ製本処理、パンチ処理、断裁処理、シフト排紙処理、折り処理等がある。ここでは、このジョブを「中綴じ製本ジョブ」と呼ぶ。
【手続補正２４】
【補正対象書類名】明細書
【補正対象項目名】００４９
【補正方法】変更
【補正の内容】
【００４９】
この中綴じ製本ジョブを、図３の印刷システム１０００で処理する場合、制御部２０５は、印刷装置１００で印刷されたシートを、Ａ点及びＢ点及びＣ点を経由して中綴じ製本機２００−３ｃに搬送させる。その後、制御部２０５は、このジョブのシート処理を中綴じ製本機２００−３ｃで実行させる。そして制御部２０５は、この中綴じ製本機２００−３ｃによるシート処理がなされた中綴じ製本ジョブの印刷物を、中綴じ製本機２００−３ｃの排紙先に保持させる。なお、この中綴じ製品機２００−３Ｃは、予め印刷されたシートを供給するためのインサータトレイＺｏを持つ。例えば、予め印刷が施されたカバーシートなどがこのインサータトレイＺｏにセットされる。このインサータトレイＺｏから供給されるシートは、印刷装置１００からのシートとマージされる。そして、これらのシートを１束とする後処理がこの中綴じ製本機２００−３ｃにより行われる。
【手続補正２５】
【補正対象書類名】明細書
【補正対象項目名】００５６
【補正方法】変更
【補正の内容】
【００５６】
タッチパネル部４０１は、コピー、送信、ボックス、拡張などの各種動作をモード設定するモードボタンや、印刷倍率設定、シート設定などを行うための各種指示ボタンを表示している。これら各種指示ボタンは周知であるため、それらの説明を省略し、シート処理設定ボタン６０９が指示（タッチ）された場合について説明する。
【手続補正２６】
【補正対象書類名】明細書
【補正対象項目名】００６０
【補正方法】変更
【補正の内容】
【００６０】
５１１はステイプル処理を指示するボタン、５１２はパンチを行うように指示するボタン、５１３は裁断処理を指示するボタンである。５１４はシフト排紙、５１５は中綴じ製本、５１６は折りを指示するボタンである。５１７は糊付け製本（くるみ製本）を指示す
るボタン、５１８は糊付け製本（天糊製本）を指示するボタンである。キャンセルボタン５２０は、これら設定を全てキャンセルするためのボタン、ＯＫボタン５２１は、これら設定を有効にするボタンである。
【手続補正２７】
【補正対象書類名】明細書
【補正対象項目名】００９７
【補正方法】変更
【補正の内容】
【００９７】
図１４で示した印刷中断ケースでは、排紙完了となっていないシートに対してのみ再度印刷制御を行うだけで良い。これに対して、排紙完了となったシートに対しても再印刷制御を行うと出力物が重複するだけでなく、余計な制御を行うことによって高い生産性を維持することができなくなる。
【手続補正２８】
【補正対象書類名】明細書
【補正対象項目名】０１００
【補正方法】変更
【補正の内容】
【０１００】
この図１６の例において、７３１は、排出先が中綴じ製本機２００−３ｃのスタックトレイＺ−２に指定されたタブ紙ジョブのシート出力束であり、７３２は排出先が大容量スタッカ２００−３ａのエスケープトレイに指定された強制排出対象のタブ紙（残存シート）である。また、７３３は、排出先が中綴じ製本機２０００−３ｃのスタックトレイＸｏに指定されたタブ紙ジョブの２部目のシートである。
【手続補正２９】
【補正対象書類名】明細書
【補正対象項目名】０１０５
【補正方法】変更
【補正の内容】
【０１０５】
また、例えば、タブ紙ジョブでジャムが発生した場合、ジャム解除にタブ紙の順序が合うように、不必要なタブ紙をジャム解除直後に強制排出するよう制御することも、本実施形態に含まれる。このように制御を行うことで、余計なユーザ操作を介在することなく、適切な出力結果を常にユーザに提供することが可能になる。
【手続補正３０】
【補正対象書類名】明細書
【補正対象項目名】０１１２
【補正方法】変更
【補正の内容】
【０１１２】
（Ｂ）印刷再開時の処理
図１９は、本実施の形態に係る印刷装置１００における印刷再開時の処理を示すフローチャートである。
【手続補正３１】
【補正対象書類名】明細書
【補正対象項目名】０１２３
【補正方法】変更
【補正の内容】
【０１２３】
（３）本実施の形態の印刷システム１００は、印刷で順序性をもったシート（タブ紙など）を少なくとも利用する第１のジョブと、印刷で順序性をもたないシートを利用し且つ前記順序性をもったシートを利用しない第２のジョブとを受け付ける。印刷が中断したジョブが前記第１のジョブである場合に、当該第１のジョブで利用していた給紙カセットから前記順序性をもったシートを除去するようにシートの除去動作を実行した後に当該第１のジョブの印刷を再開するよう制御する。また、印刷が中断した印刷ジョブが前記第２のジョブである場合に、当該第２のジョブで利用していた給紙カセットから前記順序性をもたないシートを除去しないように、前記シートの除去動作を実行すること無しに当該第２のジョブの印刷を再開するよう制御する。これにより、印刷が中断したジョブが順序性をもったシートを利用するジョブであるケースと、順序性をもたないシートを利用するジョブであるケースとで、それぞれに見合った無駄のない速やかな印刷再開を実現することができる。